(57)【要約】【課題】光度を従来よりも高くすること。【解決手段】発光内管と、外管とを含み、前記発光内管の両端に電気的端子が設けてあり、前記外管が前記発光内管を嵌めており、前記発光内管の両端に設けられた電気的端子が前記外管の外部に突出しており、また、外管の外面の一側に光反射膜が設けてあり、前記光反射膜が付けられた部分の反対面に粗面加工が施されてあり、また、外管の外面の他側と、外管の外面の他側の反対面とには蛍光層が設けてある。【選択図】図１
0003133675.tif 000002
【実用新案登録請求の範囲】
【請求項１】
主に、発光内管と、外管とを含み、
前記発光内管の両端に電気的端子が設けてあり、
前記外管が前記発光内管を嵌めており、
前記発光内管の両端に設けられた電気的端子が前記外管の外部に突出しており、
外管の外面の一側に光反射膜が設けてあり、
前記光反射膜が付けられた部分の反対面に粗面加工が施されてあり、
外管の外面の他側と、外管の外面の他側の反対面とには蛍光層が設けてあることを特徴とする、
灯管。
【請求項２】
前記外管は光を透過可能な素材で作製されたものであることを特徴とする、請求項１に記載の灯管。
【請求項３】
前記外管の断面形状は円形であることを特徴とする、請求項１に記載の灯管。
【請求項４】
前記外管の断面形状は楕円形であることを特徴とする、請求項１に記載の灯管。
【請求項５】
前記外管の断面形状は半円形であることを特徴とする、請求項１に記載の灯管。
【請求項６】
前記蛍光層は塗布方式にて形成されることを特徴とする、請求項１に記載の灯管。
【請求項７】
前記蛍光層は貼付方式にて形成されることを特徴とする、請求項１に記載の灯管。
【考案の詳細な説明】
【技術分野】
【０００１】
本考案は灯管（蛍光灯用蛍光管）に係り、特に、発光内管が外管に嵌められ、外管の一面の光反射性を良くし、外管の他面に光の透過性を良くした灯管に関するものである。
【背景技術】
【０００２】
エジソンが電灯を発明して以来、電灯は人類の夜間生活に不可欠なものになり、人類の夜間活動が多彩になっている。
【０００３】
従来の電灯の多くはタングステン糸を持つ電灯である。
しかし、エネルギーのコストが高いことと、政府がエネルギー節約政策を推進している現在では、多くの国民は蛍光灯を採用するようになった。
このような蛍光灯は、主に、灯台に灯管を組付けて電源を入れると、灯管からの光線が灯台に反射して照明しようとする箇所に照射するものである。
【考案の開示】
【考案が解決しようとする課題】
【０００４】
しかしながら、従来は灯管からの光線が四方に放射され、さらに灯管と灯台との距離が長いことにより灯台の反射効果が良くないために、従来の灯管は光度が良いとはいえなかった。
【課題を解決するための手段】
【０００５】
本考案は上記した欠点を解決することを目的とするものである。
本願の第１考案は、主に、発光内管と、外管とを含み、前記発光内管の両端に電気的端子が設けてあり、前記外管が前記発光内管を嵌めており、前記発光内管の両端に設けられた電気的端子が前記外管の外部に突出しており、また、外管の外面の一側に光反射膜が設けてあり、前記光反射膜が付けられた部分の反対面に粗面加工が施されてあり、また、外管の外面の他側と、外管の外面の他側の反対面とには蛍光層が設けてあることを要旨としている。
【０００６】
本願の第２考案では、前記外管は光透過可能な素材で作製されたものであることを特徴とする、前記第１考案に記載の灯管であることを要旨としている。
【０００７】
本願の第３考案では、前記外管の断面形状は円形であることを特徴とする、前記第１考案に記載の灯管であることを要旨としている。
【０００８】
本願の第４考案では、前記外管の断面形状は楕円形であることを特徴とする、前記第１考案に記載の灯管であることを要旨としている。
【０００９】
本願の第５考案では、前記外管の断面形状は半円形であることを特徴とする、前記第１考案に記載の灯管であることを要旨としている。
【００１０】
本願の第６考案では、前記蛍光層は塗布方式にて形成されることを特徴とする、前記第１考案に記載の灯管であることを要旨としている。
【００１１】
本願の第７考案では、前記蛍光層は貼付方式にて形成されることを特徴とする、前記第１考案に記載の灯管であることを要旨としている。
【考案の効果】
【００１２】
本考案に係る灯管によれば、灯管の光度が従来のものよりも格段に高くなるといった特有の効果がある。
【考案を実施するための最良の形態】
【００１３】
以下、添付図面を参照して本考案の好適な実施の形態を詳細に説明する。
【００１４】
まず、図１乃至図３を参照する。図１は本考案の灯管の透視図であり、図２は本考案の灯管の正面断面図であり、図３は本考案の灯管の断面図である。
本考案の灯管１は、主に、発光内管１１と、外管１２とから構成されるものである。
【００１５】
前記発光内管１１は、両端に電気的端子１１１が設けてあり、前記電気的端子１１１に電流を流すと、発光内管１１が発光するようになる。
【００１６】
前記外管１２は、光透過可能な素材（例えばガラスや石英）で作製されたものである。
図４と図５に示すように、その断面形状は、円形でもいいし、楕円形でもいいし、半円形でもいいし、上記以外の何れかの形状でもよい。
前記発光内管１１を嵌めており、且つ前記発光内管１１の両端に設けられた電気的端子１１１が前記外管１２の外部に突出している。
また、外管１２の外管壁１２１の一側に光反射膜２が設けてある。
前記光反射膜２が発光内管１１からの光線を阻止して内側へ反射し、前記光反射膜２の反対面に粗面加工が施されてある。
この粗面３にて発光内管１１からの光線が四方に反射される。
また、外管１２の外面の他側と、外管１２の外面の他側の反対面とには蛍光層４が設けてある。
前記蛍光層４は、塗布方式にて形成されてもよいし、貼付方式にて形成されてもよい。
これにより、外管１２の光透過性がもっと良くなり、灯管１の光度が増加するようになる。
【００１７】
次に、図１と図６を参照しながら本考案の使用状態を詳細に説明する。
図６は本考案の灯管の使用状態を示す断面概略図である。
まず、灯管１の外管１２の内外面１２２，１２１の蛍光層４が付けられた一側を照明しようとする方向へ向くように灯管１を旋回させて、電気的端子１１１を灯台に組付けて電源を入れると灯管１が発光するようになる。
灯管１の外管１２の内外面１２２，１２１の蛍光層４が付けられた一側が照明しようとする方向へ向くことにより、外管１２の蛍光層４が付けられた部分の光透過性が更に良くなる。
そして外管１２の外面１２１の他側に光反射膜２が設けてある。
前記光反射膜２にて発光内管１１からの光線が反射される。
また、前記外管１２の光反射膜２が付けられた面（外面１２１）の反対面（内面１２２）に、前記光反射膜２に応じる粗面３が設けてあり、これにより、前記発光内管１１からの光線が前記粗面３側に入射すると、光線が四方に反射され、だから、灯管１の光度が増加するようになる。
【図面の簡単な説明】
【００１８】
【図１】本考案の灯管の透視図である。
【図２】本考案の灯管の正面断面図である。
【図３】本考案の灯管の断面図である。
【図４】本考案の灯管（楕円形状の外管を有するもの）の断面図である。
【図５】本考案の灯管（半円形状の外管を有するもの）の断面図である。
【図６】本考案の灯管の使用状態を示す断面概略図である。
【符号の説明】
【００１９】
１        灯管                １１      発光内管
１１１    電気的端子          １２      外管
１２１    外面                １２２    内面
２        光反射膜            ３        粗面
４        蛍光層
【図１】
0003133675.tif 000003
【図２】
0003133675.tif 000004
【図３】
0003133675.tif 000005
【図４】
0003133675.tif 000006
【図５】
0003133675.tif 000007
【図６】
0003133675.tif 000008